(57)【特許請求の範囲】
【請求項１】
底板の外周縁部に側縁板を立設して受け皿を構成し、該外周縁部近傍の底板に水を抜く
排水口か又は側縁板の立設部で底板面と同一レベルかそれより下部位に排水管を設け、
前記底板は溜った水や土が自然に流れるように全面を前記排水口又は排水管側に傾斜させ、植木鉢を水平に載置するために中央部に高くした水平部を形成し、該水平部と底板の周縁部とで溝部を形成し、
更に、植木鉢を載置する水平部には鉢の水抜き口に対応する部位から排水口又は排水管側に向かって自然に流れるように傾斜した溝を形成し  
底板下部には、排水口や排水管からの排水を受ける受水槽が挿入可能な高さの回転機能付脚台を取付けて、受け皿を回転させながら受け皿の内外を清掃できる構造にしたことを特徴とした植木鉢用受け皿。
【請求項２】
前記回転機能付脚台の代わりにキャスターを取付けたことを特徴とした請求項１記載の植木鉢用受け皿。
【発明の詳細な説明】
【技術分野】
【０００１】
本発明は植木鉢から流出する水を受ける受け皿に関するものである。
【背景技術】
【０００２】
室内で観賞する観賞植物は植木鉢に植えられ定期的に注水するが、注水された水は土に浸透し余剰水は鉢から流出され、鉢の下の受け皿に溜る。
しかし、この受け皿に溜った水は土等でよごれ不衛生的で、又、受け皿からも溢水する危険性もあるので時々排出する。そこには種々作業上の問題があった。
通常、重い鉢を移動させ、受け皿を持ち上げてバケツ等に排出し、皿内を綺麗に拭き採ることが一般的である、しかし、この作業は重労働であった。
そこで、登録実用新案第３０２７４８５号では受け皿にＬ字状の水抜き管を設け、従来の作業を軽減する受け皿が提案されている。
【先行技術文献】
【特許文献】
【０００３】
【特許文献１】登録実用新案第３０２７４８５号
【発明の概要】
【発明が解決しようとする課題】
【０００４】
一般的に、受け皿内の水を抜く場合には完全に抜き去り、汚れた水や土等を無くすことが美観上も衛生上も最も重要なことである。
前記登録実用新案第３０２７４８５号では、鉢を移動することなく、水を排出する手段が提案されているが、しかし、受け皿内の水や土等を完全に綺麗に抜き去る思想であるか否かは疑問である。それは上記公報の図５、図８（本願図面では図４に示す。）に明示しているようにL字状の水抜き管（排水管）の装着部が底部の外周縁のやや上部の側縁に取付けられていることから言える。
更に、同公報では、水抜きする際には明細書段落番号（００１７）に記載のように、ホースを装着したり、受け台を設けたりしている。この作業は面倒と思える。
そこで本発明は容易に、しかも、綺麗に完全に水と土等とを抜き去ることが出来る受け皿を提案する。
【課題を解決するための手段】
【０００５】
その手段は図示のように、受け皿に溜った水や土等を完全に抜き去る為に、図１のよ
うに排水管を側縁板の立設部で底板面と同一レベルかそれより下部位に設けるか、又は、
図２のように受け皿の底板面に排水口を設ける。更に、図のように鉢の水抜き口に対応
する部位に凹状に溝(１ｄ)を設けた溝（１ｄ）を設けて排水を容易にした。
底板面は溜り水が排水口（２）側により自然に流れるように全面を排水口側に傾斜さ
せ、植木鉢を水平に載置するために中央部に高くした水平部を形成した。
その結果、底板の周縁部は水平部の厚み部によって溝部が形成される。
更に、排水を受ける受水槽を受け皿の下部に挿入可能な高さの回転機能付脚台や、又
はキャスターを取付けた。キャスターの取付け個数は３〜４個程度をバランス良く取
付ければよい。
排水管（３）の螺合蓋とか一般的な開閉コックでもよいしゴム栓でもよい。排水口（２）  
の密閉もゴム栓とか螺合蓋でもよいが、これらは特に限定するも
【発明の効果】
【０００６】
本発明は、排水口や排水管及び底板面な上記のような構造にすることによって、登録
実用新案第３０２７４８５号の従来の受け皿よりも容易に水や土等を完全に綺麗に除去
でき虫や菌の発生等がなくなりより衛生的になった。
更に、脚台として回転機構付脚台を取付けることによって、受け皿の回転が容易にな
って皿の内外部を容易に清掃でき清潔で美観上もよい。キャスターの場合も同様の操作
ができ、当然、植木鉢を移動さす際にも便利である。
図１のように排水管を取付けたとき、水抜き時以外は該排水管部を部屋の壁面側に向
きを変えることができ美観上もよい。
更に、溝部（１ｄ）を設けることによって、鉢から抜ける水が排水口部側に直接流れ
脚部に滞留せず清掃が容易になる。
従来のように重い植木鉢を持ち上げる必要性がなく、又、ホースや置き台等も不要
になった。
以上、本願は上記のように多くの点で従来にない非常に便利で顕著な効果がある受け
皿と言えます。
【図面の簡単な説明】
【０００７】
【図１】本発明の第１実施例受け皿の平面図、断面図を示す。
【図２】本発明の第２実施例受け皿の平面図、断面図を示す。
【図３】本発明の第２実施例の使用状態を示す斜視図である。
【図４】登録実用新案第３０２７４８５号公報の図５を示す。
【発明を実施するための形態】
【０００８】
本発明の実施の形態を下記の実施例に基づき説明する。
【実施例１】
【０００９】
第1実施例の平面図、断面図を図１に示す。
底板（１ａ）と該底板の外周縁部に立設した側縁板（１ｂ）とで受け皿（１）を構成
し、底板面は溜り水や土が排水管（３）側に自然に流れるように全面を排水口側に傾
斜させ、植木鉢を水平に載置するため中央部に高くした水平部（１ｃ）を形成した。
従って、底板の周縁部は水平部の厚み部（１c）によって溝部（８）が形成される。  
更に、平面図のように、鉢の水抜き口（７ａ)に対応する部位から排水管（３）に向
かって溝（１ｄ）を設け、鉢からの流水を排水口（２）側に流れ易くし、鉢の脚台（７
ｃ）に土等が滞留しないようにした。この溝（１ｄ）は鉢の水抜き口部近傍から排水
管部迄でもでもよい。
又、側縁板の立設部で底板面と同一レベルに排水管（３）を取付け、排水管は螺合蓋
（３a）で密閉させた。
底板の下方には排水を受ける受水槽（６）が挿入可能な高さの回転機構付脚台（４a）
を取付けた。
【実施例２】
【００１０】
第２実施例の平面図と断面図を図２に示す。
底板（１ａ）と該底板の外周縁部に立設した側縁板（１ｂ）とで受け皿（１）を構成
した。
底板は実施例１と同様、溜り水が排水口（２）側により自然に流れるように全面を排
水口側に傾斜させた。植木鉢を水平に載置さすために中央部を高くした水平部（１ｃ）
を形成した。
従って、前述のように底板の周縁部は水平部（１ｃ）の厚みによって溝部（８）が形
成される。
更に、鉢の水抜き口（７ａ)に対応する部位を上流部から排水口（２）に向かって溝（１
ｄ）を設け、鉢かの流水を排水口（２）側に流れ易くし、鉢の脚台（７ｃ）に土等が滞
留しないようにした。この溝（１ｄ）は鉢の水抜き口部近傍から排水口部まででもよい。
又、受水槽(６)を排水口（２）の下方に置くために、キャスター（５）を取付け受け
皿全体の回転および移動を容易にした。
【００１１】
受け皿全体の材質は樹脂、金属、木製、陶質等を適宜に選定すればよい。
更に、受け皿の形状を円形、四角形等が考えられるが、特に限定するものでもない。
これらは全て、本願の技術範囲である。                                                                       
【符号の説明】
【００１２】
１    受け皿
１ａ  底板  
１ｂ  側縁板
１ｃ  水平部（底板の厚み部）
１ｄ  溝
２    排水口
２ａ  排水口用ゴム栓
３    排水管
３ａ  排水管用螺合蓋
４ａ  回転機能付脚台
４ｂ  回転軸
５    キャスター
６    受水槽
７    植木鉢
７ａ  植木鉢の水抜き口
７ｂ  植木鉢の脚部
８    底板縁周の溝部
【要約】      （修正有）【課題】室内の植木鉢に注水された後に流出して受け皿に溜った水を、容易かつ完全に排出できる植木鉢用受け皿を提供する。【解決手段】受け皿の外周縁部に水を抜く排水口を設け、底板１ａ上の溜り水が排水口側に流れるように全面を排水口側に向けて傾斜させ、更に、植木鉢を水平に載置するために、水平部１ｃを形成し、底板縁周部に溝部８、底板中央部に溝１ｄをそれぞれ形成し、受け皿の底部下方には回転機能付脚台４aを取付けて排水管３の下方に受水槽６を挿入できる高さとした、受水槽に水を排出できる植木鉢用受け皿。【選択図】図１【図１】
0005457568.tif 000002
【図２】
0005457568.tif 000003
【図３】
0005457568.tif 000004
【図４】
0005457568.tif 000005